(57)【特許請求の範囲】
【請求項１】
動物等の走行用収容室を内周に有するとともに、回転に伴なって一定の周回域内を周回し得る小径接地面と大径接地面とからなる周回接地面を外周に有する動物等の周回自走遊具。
【請求項２】
前記走行用収容室の外周に大径接地面を設け、前記収容室から離れて回転連結部材を介して小径接地面を有する小径回転体を設けてなる請求項１に記載の動物等の周回自走遊具。
【請求項３】
前記周回接地面が、一連の円錐形又は円錐台形の外周面からなる請求項１又は２に記載の動物等の周回自走遊具。
【請求項４】
前記外周接地面の内側に着脱可能に動物等の走行用収容室を設けた請求項１乃至３のいずれかに記載の動物等の周回自走遊具。
【請求項５】
前記走行用収容室に動物等を出し入れするための蓋体を設けてなる請求項１乃至４のいずれかに記載の動物等の周回自走遊具。
【請求項６】
外周面から走行用収容室内に連通する空気孔を設けてなる請求項１乃至５のいずれかに記載の動物等の周回自走遊具。
【発明の詳細な説明】
【０００１】
【発明の属する技術分野】
本発明は、人や動物等、特にはハムスター等の小動物の周回自走遊具に関する。
【０００２】
【従来の技術】
従来、ハムスター等の小動物等をケージに入れて飼育する場合に、小動物等の運動不足を解消するとともに、飼い主本人が眺めて楽しめるものとして、回し車に代えて小動物等をケージから出して透明な球体の中に入れて床に転がし、小動物等が球体内で動くたびに転がるという動物等の球体遊具が広く使用されている。
【０００３】
【発明が解決しようとする課題】
しかし、回し車が擬似的に走ることができるのに対して、球体の中に小動物等を入れて床に転がすと、回し車とは違って球体は小動物等の好きな方向に進行するのではなく、偶然のバランスによって左右に曲がり、中の小動物等はそのたびに左右に振り回されて、挙げ句の果てに部屋の家具や壁にぶつかって急に屈曲したり逆回転したりするから、中で錐もみ状態になり、恐怖で慌てふためいてもがいているような状況になることも少なくない。
【０００４】
小動物等の生態を知らない飼い主は、このような状況を小動物等が喜んで遊んでいると誤解して、逆に小動物等のストレスを増大させるているのみならず、飼い主が目を離したすきに、部屋の外に転がり出たり、ストーブなど危険な家財道具のそばに転がったりして、危険が及ぶ恐れも多分にある。
そこで、本発明は、小動物等をケージの外に出して床の上で遊ばせることができると共に、小動物等にストレスを与えない動物等の周回自走遊具を提供しようとするものである。
【０００５】
【課題を解決するための手段】
本発明は、上記課題を解決するために、動物等の走行用収容室を内周に有するとともに、回転に伴なって一定の周回域内を周回し得る周回接地面を外周に有する動物等の周回自走遊具を提供するものである。
本発明によれば、室内の床や畳や絨毯上において、動物等の周回自走遊具が、内周の走行用収容室内で動物等が走行するのに伴なって回転すると、外周の周回接地面が回転によって一定の周回域内を周回するから、レールや柵を用いることなく、例えば、座布団一枚程度の小面積内を周回させることができ、ケージ外において安心して運動させることができる一方、中の小動物等は壁等に衝突することなく、思いがけない方向に転がる危険がなく、擬似的にまっすぐ走っている感覚で走行し続けることができ、ストレスを解消することができる。
【０００６】
また、本発明は、前記周回接地面が小径接地面と大径接地面とからなる請求項１に記載の動物等の周回自走遊具を提供するものである。
本発明によれば、周回接地面の小径接地面と大径接地面の回転半径の差により、遊具は回転しながら回転半径差で定まる一定の周回域内を周回することとなるから、例えば、周回接地面の小径接地面又は大径接地面の回転半径を変更することによって、周回域の面積を可変に調節することができる。
【０００７】
また、本発明は、前記走行用収容室の外周に大径接地面を設け、前記走行用収容室から離れて回転連結部材を介して小径接地面を有する小径回転体を設けてなる請求項１又は２に記載の動物等の周回自走遊具を提供するものである。
本発明によれば、遊具は、収容室外周の大径接地面と小径回転体の小径接地面との回転半径差による一定の周回域内を周回するとともに、収容室から離れて小径回転体を自由に設けることができ、例えば、小径回転体を交換して周回域を大小調節することができる。
【０００８】
また、本発明は、前記周回接地面が、一連の円錐形又は円錐台形の外周面からなる請求項１又は２に記載の動物等の周回自走遊具を提供するものである。
本発明によれば、円錐形又は円錐台形という簡単な構造によって小径接地面と大径接地面と一連に成形でき、遊具は原則として円錐形の頂点を中心とした円周上を周回することができる。
【０００９】
また、本発明は、前記外周接地面の内側に着脱可能に動物等の走行用収容室を設けた請求項１乃至４のいずれかに記載の動物等の周回自走遊具を提供するものである。
本発明によれば、走行用収容室を交換して使用したり掃除ができるのみならず、個々の小動物等に適した走行路を有する走行用収容室を着脱可能に交換して、円錐状の走行室の内壁を走る場合と比較して、快適な走行路上を小動物等に走行させることができる。
【００１０】
また、本発明は、前記収容室に小動物等を出し入れするための蓋体を設けてなる請求項１乃至５のいずれかに記載の動物等の周回自走遊具を提供するものである。
本発明によれば、小動物等の出し入れ用の蓋体を設け、走行用収容室を囲っているから、小動物等が走行中に収容室から外へ出ることはなく、安心して室内で運動させることができる。
【００１１】
また、本発明は、外周面から収容室に連通する空気孔を設けてなる請求項１乃至６のいずれかに記載の動物等の周回自走遊具を提供するものである。
本発明によれば、小動物等の呼吸のための空気を外部から供給することができ、小動物等を収容室内に長い時間入れて運動させることができる。
【００１２】
【発明の実施の形態】
本発明の実施の形態を図示する実施例に基づいて説明する。
図１乃至図６に記載の実施例に示すように、本発明に係る動物等の周回自走遊具の遊具本体１は、基本的には、円錐形状又は円錐台形状をなし、小動物等の走行用収容室２を内周に有するとともに、回転に伴なって一定の周回域内を周回し得る周回接地面３を外周に有する。
【００１３】
この実施例の場合、円錐台形状をなす遊具本体１の外周面が、小径接地面と大径接地面とを円錐台形状に従って一連に有する周回接地面３を構成しており、小径接地面と大径接地面との境界はないが、図５に記載のように、遊具本体１は理論的には回転に伴なって円錐の頂点Ｏを中心に周回域Ｓ内を周回する。しかし、周回接地面に凹凸があったり、滑る場合には、理論とは異なる周回域になることもある。
【００１４】
遊具本体１は、軟質又は硬質プラスチック製で、走行用収容室２内のハムスター等の小動物等が外部から見えるように、透明であることが好ましいが、透明に限らず、外周に模様等を施した紙製等であっても良い。
図７又は図８の実施例は、周回接地面が小径接地面４と大径接地面５とに別々に設けてある。なお、小径接地面４と大径接地面５は、周回接地面を小径接地面と大径接地面とに分割して設けたように、２段以上の複数段に分割して設けることも勿論可能である。
【００１５】
図７の実施例の場合、円錐体形状の遊具本体１の外周面に、リング状に小径接地面４又は大径接地面５を、一体に固定又は着脱可能に嵌着して設けてあり、例えば、遊具本体１の外周面に、リング状の合成樹脂製弾性リング、輪ゴム等を着脱自在に嵌着して、小径接地面４又は大径接地面５の回転半径を可変に調整して、遊具本体１の周回域を大小調節することができる。
【００１６】
また、図８に記載の実施例の場合、遊具本体１の走行用収容室２の外周に大径接地面５を設けると共に、走行用収容室２から離れて回転連結部材６を介して小径接地面４を有する小径回転体７を設けてある。この場合、例えば、小径回転体７を着脱して回転半径や重さを可変に交換して遊具本体の周回域を調整することができる。また、回転連結部材６を伸縮可能に設けて大径接地面５と小径接地面４との距離を調節して遊具本体１の周回域を調整することができる。更に、回転連結部材６は小径回転体７を走行用収容室及び大径接地面５と連動して回転するように連結する部材であるから、軸形状に限らず、他の骨組構造で連結することも可能である。
なお、図７又は図８の実施例の場合、遊具本体は、理論的には、回転に伴なって小径接地面４と大径接地面５の回転半径が構成する仮想円錐の頂点Ｏを中心に周回域Ｓ内を周回する。
【００１７】
図１乃至図６に記載の実施例に示すように、本発明に係る動物等の周回自走遊具の遊具本体１は、内部が透けて見えるように、基本的には、透明な素材からなる走行用収容室２が設けてあり、図６に記載のように、中空円錐台形状の容器形態のそのものが遊具本体１を構成する場合、容器形態の遊具本体１を比較的柔軟で透明な素材で形成し、中間の仕切シート体８と、大径部側の出し入れ口の蓋体９により、透明な走行用収容室２を形成することができる。この蓋体９は、大径部側の出し入れ口を覆う透明な着脱シート状のもの、或いは、透明なキャップ状のものを使用することができる。
なお、図６の場合、走行用収容室２の走行路１０は、遊具本体１の中空円錐台形状の内壁がそのまま走行路となる。また、仕切板体８や蓋体も比較的柔軟で且つ透明であることが好ましい。
また、走行路１０には、図の実施例では足掛かり用に凹凸を設けてあるが、必ずしも必須な構成ではない。
【００１８】
図２及び図３の実施例の場合、大径部側の出し入れ口を側壁１２で覆い、その側壁１２に小動物等の出し入れ口１３を設けて、その出し入れ口１３に外側から開閉自在に蓋体１４を設けてある。
なお、図１乃至図４の実施例において、走行用収容室２は小動物等が走行する走行路１０の幅を持たせて両側に透明シート等からなる側壁１１，１２を設け、その外側の側壁１２に小動物等の出し入れ口１３を設けて、その出し入れ口１３に外側から開閉自在に蓋体１４を設けることも可能である。
蓋体１４の構造は、図示の実施例に限らず、側壁１２の大きさの蓋体であっても良く、開閉固定方式も嵌着式、ヒンジ式、スライド式等の種々の形態が採用できると共に、着脱手段もスナップ式、吸着式、面接合テープ式、金具式等の任意の手段を採用することができる。
【００１９】
また、図１乃至図４の実施例において、遊具本体１は、内部が透けて見えるように、基本的には、透明な素材からなり、その大径部の内側に透明な素材からなる走行用収容室２が設けてある。走行用収容室２は、遊具本体１の円錐形状内壁に密着する円錐体形状に構成することもできるが、図示のように、やや円筒形状にして着脱を容易に構成することも可能である。なお、走行用収容室２は遊具本体１と一体に回転する構成で有れば、着脱可能に設けることも可能である。
【００２０】
また、図７又は図８の実施例の場合には、蓋体のフランジ部が大径接地面５又は小径接地面４を兼ねる構成することも可能である。
また、本発明は、図４に記載のように、外周面から走行用収容室２内に連通する空気孔１５，１６を設けてある。空気孔は、周回接地面３、仕切シート体８、蓋体９，１４、走行路１０、及び側壁１１，１２等に適宜に設けてあり、小動物等の呼吸のための空気を外部から供給することができ、小動物等を収容室内に長い時間入れて運動させることができるように構成してある。なお、遊具本体１や走行収容室２を通気性の良い多孔性素材により構成する場合には、特に目に見える形で通気孔１５，１６等を設ける必要はない。
【００２１】
また、遊具本体１の周回接地面は、接地する床等の材質にもよるが、軽快な回転周回のためには硬質である方が好ましく、衝撃吸収のためには、硬質よりも軟質の方が好ましく、軽快な回転には抵抗の小さい素材が好ましく、滑り止めには抵抗の大きい素材が好ましく、また、軽快な周回には円形で滑らかな方が良く、ゆっくり周回させるには楕円形や幅を大きくし、抵抗の大きい凹凸等を設ける等の適宜な手段を採用することが可能である。
なお、上記の実施例では、小動物を対象にした周回遊具について説明したが、この遊具を大型にして大型の動物や人が使用する周回遊具として実施することも、本発明の技術的範囲に含まれることは勿論である。
【００２２】
【発明の効果】
以上の通り、本発明に係る動物等の周回自走遊具によれば、動物の走行用収容室を内周に有するとともに、回転に伴なって一定の周回域内を周回し得る周回接地面を外周に有する構成を有することにより、地上や室内の床や畳や絨毯上において、動物等の周回自走遊具が、内周の走行用収容室内で動物等が走行するのに伴なって回転すると、外周の周回接地面が回転によって一定の周回域内を周回するから、レールや柵を用いることなく、例えば、座布団一枚程度の小面積内を周回させることができ、ケージ外において安心して運動させることができる一方、中の動物等は壁等に衝突することなく、思いがけない方向に転がる危険がなく、擬似的にまっすぐ走っている感覚で走行し続けることができ、ストレスを解消することができる効果がある。
【００２３】
また、本発明は、前記周回接地面が小径接地面と大径接地面とからなる請求項１に記載の構成を有することにより、周回接地面の小径接地面と大径接地面の回転半径の差により、遊具は回転しながら回転半径差で定まる一定の周回域内を周回することとなるから、接地面積が少なく軽快に周回すると共に、例えば、周回接地面の小径接地面又は大径接地面の回転半径を変更することによって、周回域の面積を可変に調節することができる等の効果がある。
【００２４】
また、本発明は、前記走行用収容室の外周に大径接地面を設け、前記走行用収容室から離れて回転連結部材を介して小径接地面を有する小径回転体を設けてなる請求項１又は２に記載の構成を有することにより、遊具本体は、収容室外周の大径接地面と小径回転体の小径接地面との回転半径差による一定の周回域内を周回するとともに、収容室から離れて小径回転体を自由に設けることができ、例えば、小径回転体を交換して周回域を大小調節することができる等の効果がある。
【００２５】
また、本発明は、前記周回接地面が、一連の円錐形又は円錐台形の外周面からなる請求項１又は２に記載の構成を有することにより、円錐形又は円錐台形という簡単な構造によって小径接地面と大径接地面とを一連に成形でき、遊具は原則として円錐形の頂点を中心とした円周上を周回することができる等の効果がある。
【００２６】
また、本発明は、前記外周接地面の内側に着脱可能に動物等の走行用収容室を設けた請求項１乃至４のいずれかに記載の構成を有することにより、走行用収容室を交換して使用したり掃除ができるのみならず、個々の動物等に適した走行路を有する走行用収容室を着脱可能に交換して、円錐状の走行室の内壁を走る場合と比較して、快適な走行路上を動物等に走行させることができる効果がある。
【００２７】
また、本発明は、前記収容室に動物等を出し入れするための蓋体を設けてなる請求項１乃至５のいずれかに記載の構成を有することにより、動物等の出し入れ用の蓋体を設け、走行用収容室を囲っているから、動物等が走行中に収容室から外へ出ることはなく、安心して室内で運動させることができる効果がある。
【００２８】
また、本発明は、外周面から収容室に連通する空気孔を設けてなる請求項１乃至６のいずれかに記載の構成を有することにより、動物等の呼吸のための空気を外部から供給することができ、動物等を収容室内に比較的長い時間入れて運動させることができる効果がある。
【図面の簡単な説明】
【図１】  本発明遊具の一実施例の使用態様を示す概略斜視図。
【図２】  その実施例の概略正面図。
【図３】  その実施例の要部の使用態様を示す概略斜視図。
【図４】  その他の実施例を示す概略斜視図。
【図５】  本発明遊具の周回状態を説明する平面図。
【図６】  他の実施例を示す概略斜視図。
【図７】  他の実施例を示す概略斜視図。
【図８】  他の実施例を示す概略斜視図。
【符号の説明】
１      遊具本体
２      走行用収容室
３      周回接地面
４      小径接地面
５      大径接地面
６      回転連結部材
７      小径回転体
８      仕切シート体
９      出し入れ口側の蓋体
１０    走行路
１１，１２    側壁
１３    出し入れ口
１４    蓋体
１５，１６    空気孔
【図１】
0004680441.tif 000002
【図２】
0004680441.tif 000003
【図３】
0004680441.tif 000004
【図４】
0004680441.tif 000005
【図５】
0004680441.tif 000006
【図６】
0004680441.tif 000007
【図７】
0004680441.tif 000008
【図８】
0004680441.tif 000009